(57)【要約】【課題】高い発泡倍率でも優れた機械特性を発揮するとともに優れた成形性を有する押出発泡シートを提供する。さらに、上記押出発泡シートから得られる容器を提供する。【解決手段】本発明の押出発泡シートは、線状ビニル芳香族炭化水素重合体（Ａ）と、ビニル芳香族炭化水素と共役ジエンからなるブロック共重合体の共役ジエン部分にビニル芳香族炭化水素鎖が結合した分岐状ビニル芳香族炭化水素重合体（Ｂ）と、を含有し、かつ、所定の要件を満たすビニル芳香族炭化水素重合体組成物を含む。また、本発明の容器は、上記押出発泡シートを真空成型して得られる。【選択図】図２
2015083674.tif 000002
【特許請求の範囲】
【請求項１】
線状ビニル芳香族炭化水素重合体（Ａ）と、ビニル芳香族炭化水素と共役ジエンからなるブロック共重合体の共役ジエン部分にビニル芳香族炭化水素鎖が結合した分岐状ビニル芳香族炭化水素重合体（Ｂ）を含むビニル芳香族炭化水素重合体組成物であって、
前記（Ａ）及び（Ｂ）が、１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含み、かつ、下記（ａ）〜（ｃ）を満たすビニル芳香族炭化水素重合体組成物を含む、厚み０．５ｍｍ〜５．０ｍｍの押出発泡シート：
（ａ）前記（Ｂ）が、前記ブロック共重合体中の共役ジエン化合物単位を起点として分岐している；
（ｂ）前記ビニル芳香族炭化水素重合体組成物中における前記ブロック共重合体の含有量が、共役ジエン換算量で０．１質量％以上２．０質量％以下である；
（ｃ）前記ビニル芳香族炭化水素重合体組成物を四酸化オスミウムを触媒としてターシャリーブチルハイドロパーオキサイドによる酸化分解に供する場合、当該酸化分解前のＺ平均分子量（Ｍｚ１）と当該酸化分解後のＺ平均分子量（Ｍｚ２）の比（Ｍｚ２／Ｍｚ１）が、０．３０以上０．９０以下である。
【請求項２】
前記ビニル芳香族炭化水素重合体組成物における前記（Ｂ）が、前記（Ａ）中に分散しており、１０万倍に拡大した電子顕微鏡写真４μｍ2の面積あたり粒子径５０ｎｍ以下の点粒子が０〜１０００個存在する、請求項１に記載の押出発泡シート。
【請求項３】
前記ビニル芳香族炭化水素重合体組成物の２００℃、２５００Ｐａ・ｓｅｃで測定した伸張粘度が１０万Ｐａ・ｓｅｃ以上１００万Ｐａ・ｓｅｃ以下である、請求項１又は２に記載の押出発泡シート。
【請求項４】
前記ビニル芳香族炭化水素重合体組成物の２００℃及び４９Ｎで測定したメルトマスフローレート（ＭＦＲ）が０．５ｇ／１０分以上６．０ｇ／１０分以下である、請求項１〜３のいずれか１項に記載の押出発泡シート。
【請求項５】
前記ビニル芳香族炭化水素重合体組成物の分岐度が０．３０以上０．９０未満である、請求項１〜４のいずれか１項に記載の押出発泡シート。
【請求項６】
前記ビニル芳香族炭化水素重合体組成物中における１００万以上の分子量成分が、２．０％以上２０％以下である、請求項１〜５のいずれか１項に記載の押出発泡シート。
【請求項７】
前記ブロック共重合体中の共役ジエン由来の構成成分量が５質量％以上４０質量％以下であり、
前記ブロック共重合体中のビニル芳香族炭化水素由来の構成成分量が６０質量％以上９５質量％以下であり、
前記ブロック共重合体におけるビニル結合量が７％以上７０％以下である、請求項１〜６のいずれか１項に記載の押出発泡シート。
【請求項８】
請求項１〜７のいずれか１項に記載の押出発泡シートを真空成型して得られる、容器。
【発明の詳細な説明】
【技術分野】
【０００１】
本発明は、押出発泡シート及び容器に関する。
【背景技術】
【０００２】
スチレン系樹脂は優れた透明性、成形加工性、剛性から、家電、事務機製品、玩具、雑貨等の成形材料として広く利用され、また、優れた延伸性、発泡性から、発泡トレー（ＰＳＰ）等の、主として食品包材に多く利用されている。
【０００３】
特に、ポリスチレン系樹脂押出発泡シートから熱成形により成形される食品用の簡易容器は、例えば、肉、魚、惣菜等のトレー、カップめん容器、納豆容器等種々の食品用の簡易容器として汎用的に使われている。このような発泡シートの熱成形による簡易容器においては、コストダウンのために容器の高倍率化が図られている。しかし、容器を高倍率化すると製品強度が低下してトレーのラッピングの際に容器が割れる等の問題が生じやすい。
【０００４】
この問題に対して、押出発泡成形時における発泡セル形態をコントロールしたり、真空成型容器の厚み（特に割れやすい部分の厚み）を厚くしたりして、高倍率化しても容器強度を保つ工夫がされている（例えば、非特許文献１参照）。また、容器用の材料として、特定の分岐数を有するスチレン系樹脂を用いる方法が提案されている（例えば、特許文献１参照）。
【先行技術文献】
【特許文献】
【０００５】
【特許文献１】特開２００３−４９０３３号公報
【非特許文献】
【０００６】
【非特許文献１】日経エコロジー／２００５年１０月号、第３８−３９頁
【発明の概要】
【発明が解決しようとする課題】
【０００７】
しかしながら、非特許文献１に記載の技術は、成形加工技術および容器形状による改良であり、スチレン樹脂の改良によって容器強度が改善されたわけではない。さらに、特許文献１では、スチレン樹脂の改良が行われているものの、押出発泡シートの倍率が５倍と低く、材料面からは容器を高倍率化すると製品強度が低下するという問題は解決されていない。すなわち、さらなる高倍率化に適した材料が求められている。
【０００８】
本発明は、上記の従来技術が有する問題に鑑みてなされたものであり、高い発泡倍率でも優れた機械特性を発揮するとともに優れた成形性を有する押出発泡シートを提供することを目的とする。さらに、本発明は、上記押出発泡シートから得られる容器を提供することを目的とする。
【課題を解決するための手段】
【０００９】
本発明者らはかかる現状に鑑み、鋭意検討を重ねた結果、特定の分岐状重合体を用いて分子内に分岐構造を導入して高分子量化したビニル芳香族炭化水素重合体組成物を含む押出発泡シートが、上記の課題を解決できることを見出し、本発明を完成させるに至った。
【００１０】
即ち、本発明は以下の通りである。
［１］
線状ビニル芳香族炭化水素重合体（Ａ）と、ビニル芳香族炭化水素と共役ジエンからなるブロック共重合体の共役ジエン部分にビニル芳香族炭化水素鎖が結合した分岐状ビニル芳香族炭化水素重合体（Ｂ）を含むビニル芳香族炭化水素重合体組成物であって、
前記（Ａ）及び（Ｂ）が、１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含み、かつ、下記（ａ）〜（ｃ）を満たすビニル芳香族炭化水素重合体組成物を含む、厚み０．５ｍｍ〜５．０ｍｍの押出発泡シート：
（ａ）前記（Ｂ）が、前記ブロック共重合体中の共役ジエン化合物単位を起点として分岐している；
（ｂ）前記ビニル芳香族炭化水素重合体組成物中における前記ブロック共重合体の含有量が、共役ジエン換算量で０．１質量％以上２．０質量％以下である；
（ｃ）前記ビニル芳香族炭化水素重合体組成物を四酸化オスミウムを触媒としてターシャリーブチルハイドロパーオキサイドによる酸化分解に供する場合、当該酸化分解前のＺ平均分子量（Ｍｚ１）と当該酸化分解後のＺ平均分子量（Ｍｚ２）の比（Ｍｚ２／Ｍｚ１）が、０．３０以上０．９０以下である。
［２］
前記ビニル芳香族炭化水素重合体組成物における前記（Ｂ）が、前記（Ａ）中に分散しており、１０万倍に拡大した電子顕微鏡写真４μｍ2の面積あたり粒子径５０ｎｍ以下の点粒子が０〜１０００個存在する、［１］に記載の押出発泡シート。
［３］
前記ビニル芳香族炭化水素重合体組成物の２００℃、２５００Ｐａ・ｓｅｃで測定した伸張粘度が１０万Ｐａ・ｓｅｃ以上１００万Ｐａ・ｓｅｃ以下である、［１］又は［２］に記載の押出発泡シート。
［４］
前記ビニル芳香族炭化水素重合体組成物の２００℃及び４９Ｎで測定したメルトマスフローレート（ＭＦＲ）が０．５ｇ／１０分以上６．０ｇ／１０分以下である、［１］〜［３］のいずれかに記載の押出発泡シート。
［５］
前記ビニル芳香族炭化水素重合体組成物の分岐度が０．３０以上０．９０未満である、［１］〜［４］のいずれかに記載の押出発泡シート。
［６］
前記ビニル芳香族炭化水素重合体組成物中における１００万以上の分子量成分が、２．０％以上２０％以下である、［１］〜［５］のいずれかに記載の押出発泡シート。
［７］
前記ブロック共重合体中の共役ジエン由来の構成成分量が５質量％以上４０質量％以下であり、
前記ブロック共重合体中のビニル芳香族炭化水素由来の構成成分量が６０質量％以上９５質量％以下であり、
前記ブロック共重合体におけるビニル結合量が７％以上７０％以下である、［１］〜［６］のいずれかに記載の押出発泡シート。
［８］
［１］〜［７］のいずれかに記載の押出発泡シートを真空成型して得られる、容器。
【発明の効果】
【００１１】
本発明の押出発泡シートは、高い発泡倍率でも優れた機械特性を発揮するとともに優れた成形性を有する。
【図面の簡単な説明】
【００１２】
【図１】図１は、発泡トレーの腰強度を測定する方法について説明する図である。
【図２】図２は、メルトマスフローレート（ＭＦＲ）と伸長粘度との関係を、実施例と比較例との対比で示すグラフである。
【図３】図３は、腰強度と深絞り成形性との関係を、実施例と比較例との対比で示すグラフである。
【発明を実施するための形態】
【００１３】
以下、本発明を実施するための形態（以下、「本実施形態」ともいう。）について詳細に説明する。なお、本発明は、本実施形態に限定されるものではなく、その要旨の範囲内で種々変形して実施することができる。
【００１４】
＜押出発泡シート＞
本実施形態における押出発泡シートは、線状ビニル芳香族炭化水素重合体（Ａ）と、ビニル芳香族炭化水素と共役ジエンからなるブロック共重合体の共役ジエン部分にビニル芳香族炭化水素鎖が結合した分岐状ビニル芳香族炭化水素重合体（Ｂ）を含むビニル芳香族炭化水素重合体組成物を含む。なお、本明細書において、上記した本実施形態における線状ビニル芳香族炭化水素重合体を単に「（Ａ）」と、上記した本実施形態における分岐状ビニル芳香族炭化水素重合体を単に「（Ｂ）」と、それぞれ称する場合がある。
本実施形態において、前記（Ａ）及び（Ｂ）は、１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含有する。
さらに、本実施形態において、上記ビニル芳香族炭化水素重合体組成物は、下記（ａ）〜（ｃ）を満たす：
（ａ）前記（Ｂ）が、前記ブロック共重合体中の共役ジエン化合物単位を起点として分岐している；
（ｂ）前記ビニル芳香族炭化水素重合体組成物中における前記ブロック共重合体の含有量が、共役ジエン換算量で０．１質量％以上２．０質量％以下である；
（ｃ）前記ビニル芳香族炭化水素重合体組成物を四酸化オスミウムを触媒としてターシャリーブチルハイドロパーオキサイドによる酸化分解に供する場合、当該酸化分解前のＺ平均分子量（Ｍｚ１）と当該酸化分解後のＺ平均分子量（Ｍｚ２）の比（Ｍｚ２／Ｍｚ１）が、０．３０以上０．９０以下である。
さらにまた、本実施形態において、押出発泡シートの厚みは０．５ｍｍ〜５ｍｍである。
上記のように構成されているため、本実施形態における押出発泡シートは、高い発泡倍率でも優れた機械特性を発揮するとともに優れた成形性を有する。
【００１５】
本実施形態において、「ブロック共重合体が含まれる」とは、当該ブロック共重合体由来の（Ｂ）成分が本実施形態のビニル芳香族炭化水素重合体組成物中に含まれていることを意味する。さらに、「（Ａ）及び（Ｂ）が１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含む」とは、（Ａ）成分については「１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種」が（Ａ）成分そのものとして本実施形態のビニル芳香族炭化水素重合体組成物中に含まれていることを意味し、（Ｂ）成分については「１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種」に由来する成分が上記ブロック共重合体の共役ジエン部分に結合するビニル芳香族炭化水素鎖中に含まれていることを意味する。
【００１６】
上記ビニル芳香族炭化水素重合体組成物は、分岐状重合体たる分岐状ビニル芳香族炭化水素重合体（Ｂ）を用いて、分子内に分岐構造を導入して高分子量化している。このような本実施形態所望のビニル芳香族炭化水素重合体組成物を適用することで、本実施形態の押出発泡シートは、発泡セルの延伸時に分子配向がかかり易く、高強度化されるため、深絞り容器の二次成形性に優れるものとなる。さらに、高い発泡倍率でも製品強度に優れた発泡容器を得ることができるため、製品のコストダウンにも寄与することができる。
【００１７】
（ビニル芳香族炭化水素重合体組成物）
本実施形態において、上記ビニル芳香族炭化水素重合体組成物に含まれる（Ｂ）成分は、上記ブロック共重合体中の共役ジエン化合物単位を起点として分岐している。
【００１８】
本実施形態において、上記ビニル芳香族炭化水素重合体組成物中におけるブロック共重合体の含有量は、共役ジエン換算量で０．１質量％以上２．０質量％以下である。上記共役ジエン換算量が上記範囲内にあることにより、成形性と容器成形後の機械特性の双方に優れた押出発泡体とすることができる。上記共役ジエン換算量は、伸長粘度の観点から、好ましくは０．２質量％以上、より好ましくは０．３質量％以上、さらに好ましくは０．４質量％以上である。一方、流動性の観点から、好ましくは１．５質量％以下であり、より好ましくは１．３質量％以下である。上記共役ジエン換算量が０．１質量％未満の場合は、共役ジエン部分へのビニル芳香族炭化水素鎖の結合確率が少なくなり、高分子量化した分岐状ビニル芳香族炭化水素重合体（Ｂ）が得られず、高い伸張粘度の組成物が得られない。そのため、成形性と容器成形後の機械特性の双方に優れた押出発泡シートが得られない。また、共役ジエン換算量が２質量％を超える場合、ビニル芳香族炭化水素重合体組成物の加工性（流動性）や剛性が低下するので、成形性と容器成形後の機械特性の双方に優れた押出発泡シートが得られない。なお、上記共役ジエン換算量は、後述する実施例に記載の方法で測定することができる。
【００１９】
本実施形態における（Ａ）成分は、ラジカル重合可能な単量体を構成単位として含むことができる。上記ラジカル重合可能な単量体としては、以下に限定されないが、例えば、ビニル芳香族炭化水素単量体を挙げることができる。また、上記ビニル芳香族炭化水素単量体と組み合わせて、不飽和カルボン酸、不飽和カルボン酸のアルキルエステル、不飽和カルボン酸無水物、マレイミド等を使用することもできる。
【００２０】
上記したラジカル重合可能な単量体を用いて、１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含む重合体を得ることが好ましい。換言すると、本実施形態のビニル芳香族炭化水素重合体組成物は、１種のビニル芳香族炭化水素の単独重合体又は２種以上のビニル芳香族炭化水素の共重合体、ビニル芳香族炭化水素と不飽和カルボン酸との共重合体、ビニル芳香族炭化水素と不飽和カルボン酸及び／又は不飽和カルボン酸のアルキルエステルとの共重合体、及びビニル芳香族炭化水素と不飽和カルボン酸無水物又はマレイミドとの共重合体からなる群より選択される少なくとも１種を含む重合体を（Ａ）成分及び（Ｂ）成分として含むことが好ましい。なお、上記ビニル芳香族炭化水素と不飽和カルボン酸及び／又は不飽和カルボン酸のアルキルエステルとの共重合体は、二元共重合体とすることもできるし、三元共重合体とすることもできる。
【００２１】
上記ビニル芳香族炭化水素単量体としては、以下に限定されないが、例えば、スチレン、α−メチルスチレン、ｏ−，ｍ−，及びｐ−メチルスチレン、エチルスチレン、プロピルスチレン、ブチルスチレン、クロロスチレン、ジクロロスチレン、ブロモスチレン、ジブロモスチレン等を用いることができる。中でも、スチレンが好ましい。ビニル芳香族炭化水素単量体は１種類又は２種類以上の併用で使用できる。
【００２２】
本実施形態の目的を損なわない範囲で、ビニル芳香族炭化水素単量体と組み合わせて使用できる（共重合できる）他の不飽和単量体の具体例を次に示す。すなわち、上記不飽和カルボン酸としては、以下に限定されないが、例えば、アクリル酸、メタクリル酸、マレイン酸等を挙げることができる。また、上記不飽和カルボン酸のアルキルエステルとしては、以下に限定されないが、例えば、アクリル酸メチル、アクリル酸エチル、アクリル酸ブチル、アクリル酸２−エチルヘキシル等のアクリル酸のアルキルエステル、メタクリル酸メチル、メタクリル酸エチル、メタクリル酸ブチル、メタクリル酸シクロヘキシル等のメタクリル酸のアルキルエステル等を挙げることができる。さらに、上記不飽和カルボン酸無水物としては、以下に限定されないが、例えば、無水マレイン酸等を挙げることができる。さらにまた、上記マレイミドとしては、以下に限定されないが、例えば、Ｎ−メチルマレイミド、Ｎ−フェニルマレイミド等を挙げることができる。本実施形態のビニル芳香族炭化水素重合体組成物は、上記したビニル芳香族炭化水素単量体と共重合可能な不飽和単量体を５０質量％以下で含有することが好ましい。より詳細には、上記不飽和カルボン酸の使用量については、０〜３０質量％であることが好ましく、１〜２０質量％であることがより好ましい。上記不飽和カルボン酸のアルキルエステルの使用量については、０〜４５質量％であることが好ましく、１〜４０質量％であることがより好ましい。上記不飽和カルボン酸無水物及び上記マレイミドの使用量については、０〜３０質量％であることが好ましく、１〜２０質量％であることがより好ましい。上記したビニル芳香族炭化水素単量体と共重合可能な不飽和単量体が５０質量％以下である場合、十分に良好な耐熱性と成形加工性を確保できる傾向にある。
【００２３】
また、本実施形態において、上記ビニル芳香族炭化水素重合体組成物中の分岐状重合体（Ｂ）は、例えば、四酸化オスミウムを溶液とターシャリーブチルハイドロパーオキサイドの混合分解剤によって分子内の共役ジエンブロックを酸化分解することにより、その存在を確認することができる。即ち、分岐状ビニル芳香族炭化水素重合体（Ｂ）が形成されていれば、ビニル芳香族炭化水素と共役ジエンのブロック共重合体の共役ジエン部分に結合していたビニル芳香族炭化水素鎖が酸化分解によって切断されるため、Ｚ平均分子量が低下する。本実施形態において、上記ビニル芳香族炭化水素重合体組成物の酸化分解前のＺ平均分子量（Ｍｚ１）と当該酸化分解後のＺ平均分子量（Ｍｚ２）の比（Ｍｚ２／Ｍｚ１）が、０．３０以上０．９０以下である。上記Ｚ平均分子量の比が上記範囲内にあることにより、成形性と容器成形後の機械特性の双方に優れた押出発泡シートとすることができる。上記Ｚ平均分子量の比は、流動性の観点から０．３０以上であり、好ましくは０．４０以上、より好ましくは０．４５以上である。一方、伸長粘度の観点から０．９０以下であり、好ましくは０．８５以下である、より好ましくは０．８０以下である。Ｚ平均分子量の比が０．９０を超える場合、共役ジエン部分へのビニル芳香族炭化水素鎖の結合が少なく、高分子量化が図れず、高い伸張粘度の組成物が得られないので、成形性と容器成形後の機械特性の双方に優れた押出発泡シートが得られない。また、Ｚ平均分子量の比が０．３未満である場合、成形加工性が悪くなる。なお、上記Ｚ平均分子量の比は、後述する実施例に記載の方法で測定することができる。
【００２４】
本実施形態において、上記ビニル芳香族炭化水素重合体組成物におけるＺ平均分子量（Ｍｚ）と重量平均分子量（Ｍｗ）の比（Ｍｚ／Ｍｗ）が２．０以上４．０以下であることが好ましい。上記（Ｍｚ／Ｍｗ）が２．０以上である場合、十分に高い伸張粘度を有するビニル芳香族炭化水素重合体組成物が得られる傾向にあり、製品強度の低下を効果的に防止できる傾向にある。また、上記（Ｍｚ／Ｍｗ）が４．０以下である場合、ビニル芳香族炭化水素重合体組成物中における高分子量成分を適切な量に制御しやすく、より良好な押出成形が可能となり、良好な形状の押出発泡シートが得られる傾向にある。なお、上記（Ｍｚ／Ｍｗ）は、ゲルパーミエーションクロマトグラフィー（ＧＰＣ）で測定される値を採用することができる。
【００２５】
厚み０．５ｍｍ〜５．０ｍｍの押出発泡シートである本実施形態においては、上記ビニル芳香族炭化水素重合体組成物の２００℃及び４９Ｎ荷重におけるメルトマスフローレート（ＭＦＲ）は、成形性と容器成形後の機械特性の双方に優れた押出発泡シートとすることができるので、０．５ｇ／１０分以上６．０ｇ／１０分以下が好ましい。より好ましいＭＦＲの範囲は、０．８ｇ／１０分以上５．０ｇ／１０分以下であり、さらに好ましいＭＦＲの範囲は１．０ｇ／１０分以上４．０ｇ／１０分以下である。ＭＦＲが０．５ｇ／１０分以上である場合、押出時の吐出量を十分に確保できる上、ビニル芳香族炭化水素重合体組成物を用いて得られる押出発泡シートの外観が良好となる傾向にある。またＭＦＲが６．０ｇ／１０分以下である場合、当該押出発泡シートを用いて二次成形した発泡容器の強度低下を防ぎ、製品の高倍率化と強度維持とが両立される傾向にある。なお、上記ＭＦＲは、ＪＩＳ  Ｋ  ７２１０に従って２００℃及び４９Ｎで測定される値を採用することができる。
【００２６】
本実施形態において、上記ビニル芳香族炭化水素重合体組成物は、上記のとおり線状ビニル芳香族炭化水素重合体（Ａ）とビニル芳香族炭化水素と共役ジエンからなるブロック共重合体の共役ジエン部分にビニル芳香族炭化水素鎖が結合した分岐状ビニル芳香族炭化水素重合体（Ｂ）を含むため、従来のビニル芳香族炭化水素単量体の直鎖状の重合物と比較すると、容易に高分子量重合体を得ることができる。当該ビニル芳香族炭化水素重合体組成物の１００万以上の分子量成分は、２．０％以上２０％以下であることが好ましく、より好ましくは３．０％以上１８％以下、更に好ましくは４．０％以上１５％以下である。１００万以上の分子量成分が２．０％以上である場合、高分子量成分量を十分なものとしつつ、同じ重量平均分子量で比較した場合、従来のビニル芳香族炭化水素単量体の直鎖状の重合物よりも良好な伸張粘度を有する組成物とすることができるため、十分に良好な製品強度を確保できる傾向にある。また、１００万以上の分子量成分が２０％以下である場合、十分に良好な成形加工性を確保できる傾向にある。なお、上記１００万以上の分子量成分の割合は、後述する実施例に記載の方法で測定することができる。
【００２７】
本実施形態において、上記ビニル芳香族炭化水素重合体組成物の２００℃、２５００Ｐａ・ｓｅｃで測定した伸張粘度は、１０万Ｐａ・ｓｅｃ以上１００万Ｐａ・ｓｅｃ以下であることが好ましく、より好ましくは２０万Ｐａ・ｓｅｃ以上１００万Ｐａ・ｓｅｃ以下であり、さらに好ましくは２２万Ｐａ・ｓｅｃ以上９０万Ｐａ・ｓｅｃ以下であり、よりさらに好ましくは３０万Ｐａ・ｓｅｃ以上８０万Ｐａ・ｓｅｃ以下である。２００℃、２５００Ｐａ・ｓｅｃで測定した伸張粘度が１０万Ｐａ・ｓｅｃ以上である場合、十分に良好な製品強度を確保できる傾向にあり、２００℃、２５００Ｐａ・ｓｅｃで測定した伸張粘度が１００万Ｐａ・ｓｅｃ以下である場合、十分に良好な成形加工性を確保できる傾向にある。なお、上記伸張粘度は、後述する実施例に記載の方法で測定することができる。
【００２８】
さらに、本実施形態において、上記ビニル芳香族炭化水素重合体組成物の分岐度は、０．３０以上０．９０未満であり、成形加工性の観点から０．３０以上であることが好ましく、より好ましくは０．４０以上、さらに好ましくは０．５０以上である。一方、伸長粘度の観点から０．９０未満であることが好ましく、より好ましくは０．８５以下、さらに好ましくは０．８０以下である。分岐度が０．９０未満である場合、分子内の分岐数を十分に確保できる傾向にあり、十分に高い伸張粘度の組成物が得られるので、成形性と容器成形後の機械特性の双方に優れた押出発泡シートが得られる傾向にある。また、分岐度が０．３０以上である場合、十分良好な成形加工性を確保できる傾向にある。上記分岐度は、絶対分子量測定  マルチ検出器ＧＰＣ／ＳＥＣシステム（例えば、スペクトリス（株）製Ｖｉｓｃｏｔｅｋ  ＴＤＡｍａｘ）を用いて測定した、重量平均分子量＝１００万における固有粘度対数の比によって表すことができる。
【００２９】
本実施形態においては、分岐状ビニル芳香族炭化水素重合体（Ｂ）が線状ビニル芳香族炭化水素重合体（Ａ）中に分散した点粒子のうち粒子径５０ｎｍ以下の分散粒子が１０万倍に拡大した電子顕微鏡写真４μｍ2の面積あたり０個以上１０００個以下の点状粒子として存在することが好ましい。上記点状粒子の４μｍ2の面積あたりの個数として、より好ましくは、０個以上８００個以下であり、更に好ましくは０個以上６００個以下であり、より更に好ましくは０個以上４００個以下であり、特に好ましくは０個以上２００個以下である。最も好ましくは、０個（点状粒子が存在しないこと）である。なお、粒子径５０ｎｍ以下の分散粒子についての４μｍ2あたりの個数は、本実施形態のビニル芳香族炭化水素重合体組成物から切り出した８０ｎｍの超薄切片をオスミウム酸で染色した後、透過型電子顕微鏡で撮影した写真から求めることができる。ここで、点状の粒子とは、内部にオクルード構造を持たない、いわゆるコアシェル粒子やサラミ粒子でない粒子である。また、サラミ粒子とは、内部に小さなポリスチレン粒子が複数詰まったポリブタジエンゴムのことを指し、コアシェル粒子とは、内部に１個のポリスチレン粒子を含むポリブタジエンゴムのことを指す。なお、点粒子が凝集した形態のものは、凝集した形態中の点粒子の個数をそれぞれ数える。ビニル芳香族炭化水素重合体組成物中にコアシェル粒子、サラミ粒子が多数存在すると剛性が低下する傾向があるが、本実施形態のビニル芳香族炭化水素重合体組成物では効果を害さない限り、これらコアシェル粒子、サラミ粒子を含んでいてもよい。なお、上記粒子径は、後述する実施例に記載の方法により測定することができる。
【００３０】
本実施形態で用いるビニル芳香族炭化水素重合体組成物は、スチレン系樹脂の分野で慣用されている添加剤、例えば酸化防止剤、滑剤、核剤、難燃剤、着色剤等と本実施形態の目的を損なわない範囲で組み合わされることによりビニル芳香族炭化水素重合体組成物として使用されてもかまわない。上記添加剤としては、特に限定されないが、例えば、タルク等の核剤、流動パラフィン、白色鉱油等の可塑剤、ステアリン酸、パルミチン酸、ステアリン酸亜鉛、ステアリン酸カルシウム、ステアリン酸マグネシウム等の滑剤、ヘキサブロモシクロドデカン等の難燃剤、酸化チタン、カーボンブラック等の着色剤等が挙げられる。またスチレン系樹脂をペレットとし、当該ペレットの外部潤滑剤として、エチレンビスステアリルアミド、ステアリン酸亜鉛、ステアリン酸マグネシウム等をペレットにまぶして使用してもよい。
【００３１】
上記酸化防止剤は、熱成形時または光暴露により生成したハイドロパーオキシラジカル等の過酸化物ラジカルを安定化するか、又は生成したハイドロパーオキサイド等の過酸化物を分解するための成分である。すなわち、上記酸化防止剤としては、特に限定されないが、例えば、ヒンダードフェノール系酸化防止剤又は過酸化物分解剤である。前者は、ラジカル連鎖禁止剤として、後者は、系中に生成した過酸化物をさらに安定なアルコール類に分解して自動酸化を防止することができる。上記酸化防止剤としてのヒンダードフェノール系酸化防止剤の具体例としては、以下に限定されないが、２，６−ジ−ｔ−ブチル−４−メチルフェノール、スタイレネイテドフェノール、ｎ−オクタデシル−３−（３，５−ジ−ｔ−ブチル−４−ヒドロキシフェニル）プロピオネート、２，２’−メチレンビス（４−メチル−６−ｔ−ブチルフェノール）、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、４，４’−ブチリデンビス（３−メチル−６−ｔ−ブチルフェノール）、４，４’−チオビス（３−メチル−６−ｔ−ブチルフェノール）、アルキレイテッドビスフェノール、テトラキス［メチレン−３−（３，５−ジ−ｔ−ブチル−４−ヒドロキシフェニル）プロピオネート］メタン、３，９−ビス［２−〔３−（３−ｔ−ブチル−４−ヒドロキシ−５−メチルフェニル）−プロピオニロキシ〕−１，１−ジメチルエチル］−２，４，８，１０−テトラオキシスピロ〔５・５〕ウンデカン等である。また、上記酸化防止剤としての過酸化物分解剤の具体例としては、以下に限定されないが、トリスノニルフェニルホスファイト、トリフェニルホスファイト、トリス（２，４−ジ−ｔ−ブチルフェニル）ホスファイト等の有機リン系過酸化物分解剤またはジラウリル−３，３’−チオジプロピオネート、ジミリスチル−３，３’−チオジプロピオネート、ジステアリル−３，３’−チオジプロピオネート、ペンタエリスリチルテトラキス（３−ラウリルチオプロピオネート）、ジトリデシル−３，３’−チオジプロピオネート、２−メルカプトベンズイミダゾール等の有機イオウ系過酸化物分解剤である。上記酸化防止剤の添加量は、ビニル芳香族炭化水素重合体組成物１００質量部に対して、０．０１質量部以上１質量部以下が好ましく、より好ましくは０．１質量部以上０．５質量部以下である。
【００３２】
上記難燃剤の種類としては、難燃性やスチレン系樹脂との相溶性等の観点から、例えば、ヘキサブロモシクロドデカン、臭素化ＳＢＳブロックポリマー、２，２−ビス（４’（２”，３”−ジブロモアルコキシ）−３’，５’−ジブロモフェニル）−プロパン等の臭素系難燃剤や、次のような臭素化ビスフェノール系難燃剤が好ましい。しかしながら、上記に限定されない。
【００３３】
上記臭素化ビスフェノール系難燃剤としては、以下に限定されないが、例えば、テトラブロモビスフェノールＡ、テトラブロモビスフェノールＡ−ビス（２，３−ジブロモプロピルエーテル）、テトラブロモビスフェノールＡ−ビス（２，３−ジブロモ−２メチルプロピルエーテル）、テトラブロモビスフェノールＳ、テトラブロモビスフェノールＳ−ビス（２，３−ジブロモプロルエーテル）、テトラブロモビスフェノールＳ−ビス（２，３−ジブロモ−２メチルプロピルエーテル）、テトラブロモビスフェノールＦ、テトラブロモビスフェノールＦ−ビス（２，３−ジブロモプロピルエーテル）、テトラブロモビスフェノールＦ−ビス（２，３−ジブロモ−２メチルプロピルエーテル）テトラブロモビスフェノールＡ−ビス（アリルエーテル）、テトラブロモビスフェノールＡポリカーボネートオリゴマー、テトラブロモビスフェノールＡオリゴマーのエポキシ基付加物等が挙げられる。上記の臭素化ビスフェノ−ル系難燃剤の中でも、特に、テトラブロモビスフェノ−ルＡビス（２，３−ジブロモプロピルエーテル）、テトラブロモビスフェノールＡ−ビス（２，３−ジブロモプロピルエーテル）、が、ポリスチレン系樹脂との混練時において分解しにくく、難燃効果も高く発現し易い傾向にあるため好ましい。更に、テトラブロモビスフェノ−ルＡ−ビス（２，３−ジブロモプロピルエーテル）とテトラブロモビスフェノールＡ−ビス（２，３−ジブロモ−２メチルプロピルエーテル）とを併用すると、難燃性と熱安定性に優れる傾向にあるため好ましい。
【００３４】
更に、臭素系難燃剤に次のような臭素化イソシアヌレート系難燃剤を難燃助剤として併用することが好ましい。上記臭素化イソシアヌレート系難燃剤としては、以下に限定されないが、例えば、モノ（２，３−ジブロモプロピル）イソシアヌレート、ジ（２，３−ジブロモプロピル）イソシアヌレート、トリス（２，３−ジブロモプロピル）イソシアヌレート、モノ（２，３，４−トリブロモブチル）イソシアヌレート、ジ（２，３，４−トリブロモブチル）イソシアヌレート、トリス（２，３，４−トリブロモブチル）イソシアヌレート等が挙げられる。また、上記の臭素化イソシアヌレートの中で特に、トリス（２，３−ジブロモプロピル）イソシアヌレートは極めて高い難燃効果が発現するため好ましい。
【００３５】
押出発泡シート中の臭素系難燃剤の含有量としては、ビニル芳香族炭化水素重合体組成物１００質量部に対して、好ましくは０．１質量部以上１０質量部以下であり、より好ましくは１質量部以上９質量部以下、更に好ましくは２質量部以上８質量部以下である。０．１質量部以上である場合は本実施形態所望の難燃性を十分に確保できる傾向にあり、１０質量部以下である場合は押出発泡シートを製造する際の成形性を十分に良好なものとできる傾向にある。
【００３６】
（ブロック共重合体）
本実施形態におけるブロック共重合体は、ビニル芳香族炭化水素と共役ジエンから構成され、芳香族ビニル−共役ジエン系ブロック共重合体とも称することができる。上記ブロック共重合体は、少なくとも１種類の共役ジエン系単量体及び少なくとも１種類の芳香族ビニル系単量体とを、例えば、リビングアニオン重合体の存在下で溶液重合させる等の方法により、製造することができる。
【００３７】
上記共役ジエン系単量体としては、特に限定されないが、例えば、１，３−ブタジエン、イソプレン、２，３−ジメチル−１，３−ブタジエン、１，３−ペンタジエン、３−メチル−１，３−ペンタジエン、１，３−ヘプタジエン、１，３−ヘキサジエン等であり、一種又は二種以上用いられる。好ましい単量体としては、１，３−ブタジエン、イソプレンが挙げられる。
【００３８】
また、上記芳香族ビニル系単量体としては、特に限定されないが、例えば、スチレン、ｐ−メチルスチレン、α−メチルスチレン、３，５−ジメチルスチレン、ビニルエチルベンゼン、ビニルキシレン、ビニルナフタレン等であり、一種又は二種上用いられる。特にスチレンが好ましい。溶液重合で用いる炭化水素溶媒の例としては、ブタン、ペンタン、ヘキサン等の脂肪族炭化水素、シクロペンタン、シクロヘキサン等の脂環族炭化水素、ベンゼン、トルエン、キシレン等の芳香族炭化水素が用いられる。好ましい例としては、ヘキサン、シクロヘキサンが挙げられる。
【００３９】
本実施形態におけるブロック共重合体のより詳細な製造方法を以下に示す。すなわち、リビングアニオン重合体を調製し、引き続き共役ジエン系単量体を添加し、単量体の重合終了後、芳香族ビニル単量体を添加し重合反応を続ける方法；リビングアニオン重合体を調製し、引き続き共役ジエン系単量体及び芳香族ビニル単量体を添加し重合反応を続ける方法等によって製造することができる。また、共役ジエン系単量体の存在する炭化水素溶媒中に、リビングアニオン重合体を添加し、単量体の重合終了後、芳香族ビニル単量体を添加し重合反応を続ける方法；共役ジエン系単量体及び芳香族ビニル単量体の存在する炭化水素溶媒中に、リビングアニオン重合体を添加し、重合反応を続ける方法等によっても製造することができる。
【００４０】
本実施形態に使用されるブロック共重合体は、以下に限定されないが、例えば、次の一般式（１）〜（８）で表される線状ブロック共重合体やラジアルブロック共重合体、或いはこれらのポリマー構造の任意の混合物とすることができる。
（１）ｃ−（Ａ―Ｂ）ｎ
（２）ｃ−（Ｂ―Ａ）ｎ
（３）ｃ−（Ｂ―Ａ―Ｂ）ｎ
（４）ｃ−（Ａ―Ｂ―Ａ）ｎ
（５）ｃ−（Ａ―Ｂ）ｎ―Ａ
（６）ｃ−（Ｂ―Ａ）ｎ―Ｂ
（７）ｃ−（Ｂ―Ａ―Ａ―Ｂ）ｎ
（８）ｃ−（Ａ―Ｂ―Ｂ―Ａ）ｎ
（一般式（１）〜（８）中のいずれにおいても、Ｂは共役ジエン系重合体、或いは共役ジエンと芳香族ビニル化合物のランダム共重合体を表し、当該芳香族ビニル化合物の割合が漸増するテーパーブロックを有していてもよい。Ａは芳香族ビニル化合物を主体とする重合体ブロックを表す。ｃはリビングアニオン重合体の残基あるいはカップリング剤の残基を表す。ｎは１〜１０の整数であり、ｃに複数結合しているポリマー鎖の構造は同一でも、異なっていてもよい。なお、上記の「主体とする」とは、５０％超であることを意味する。）
【００４１】
本実施形態において、上記ブロック共重合体の共役ジエン由来の構成成分量が５質量％以上４０質量％以下であり、上記ブロック共重合体のビニル芳香族炭化水素由来の構成成分量が６０質量％以上９５質量％以下であることが好ましい。上記ブロック共重合体の共役ジエン由来の構成成分量として、より好ましくは７質量％以上３８質量％以下であり、さらに好ましくは１０質量％以上３５質量％以下である。また、上記ブロック共重合体のビニル芳香族炭化水素由来の構成成分量として、より好ましくは６２質量％以上９３質量％以下であり、さらに好ましくは６５質量％以上９０質量％以下である。上記ブロック共重合体の共役ジエン由来の構成成分量が５質量％以上である場合、共役ジエン部分の水素引き抜き、あるいはビニル基へのビニル芳香族炭化水素鎖の結合が十分なものとすることができる傾向にあり、目的とする高分子量成分を得やすくなる傾向にある。また、共役ジエン由来の構成成分量が４０質量％以下である場合、上記ブロック共重合体同士の凝集を効果的に防止できる傾向にあり、分岐状ビニル芳香族炭化水素重合体（Ｂ）が線状ビニル芳香族炭化水素重合体（Ａ）中に存在しても、その存在状態は均一で粒子とならないか、粒子になったとしても、点状の形態に維持しやすい傾向にある。また、上記ブロック共重合体におけるビニル結合量は７％以上７０％以下であることが好ましい。さらに、上記ビニル結合量として、より好ましくは１０％以上６５％以下であり、さらに好ましくは１３％以上６０％以下である。上記ビニル結合量が７％以上である場合、目的とする高分子量成分を十分に確保できる傾向にある。また、上記ビニル結合量が７０％以下である場合、高分子量成分の生成量を適切なものに制御しやすい傾向にあり、十分な成形加工性を確保できる傾向にある。なお、上記ビニル結合量は後述する実施例に記載の方法により測定することができる。
【００４２】
（ビニル芳香族炭化水素重合体組成物の製造方法）
本実施形態で用いるビニル芳香族炭化水素重合体組成物は、例えば、上記ブロック共重合体の存在下、ビニル芳香族炭化水素単量体を重合することにより得ることができる。即ち、上記ブロック共重合体の共役ジエン部分の水素引き抜き、あるいはビニル基にビニル芳香族炭化水素鎖が結合することにより、分岐状ビニル芳香族炭化水素重合体（Ｂ）が、線状ビニル芳香族炭化水素重合体（Ａ）とともに得られ、分岐状ビニル芳香族炭化水素重合体（Ｂ）が高分子量成分を成す。
【００４３】
上記ビニル芳香族炭化水素単量体としては、スチレン、α−メチルスチレン、ｏ−，ｍ−，及びｐ−メチルスチレン、エチルスチレン、プロピルスチレン、ブチルスチレン、クロロスチレン、ジクロロスチレン、ブロモスチレン、ジブロモスチレン等を用いることができる。中でも、スチレンが好ましい。ビニル芳香族炭化水素単量体は１種類又は２種類以上の併用で使用できる。
【００４４】
本実施形態で用いるビニル芳香族炭化水素重合体組成物の製造方法に関しては、以下に限定されないが、例えば、ビニル芳香族炭化水素単量体にビニル芳香族炭化水素と共役ジエンからなるブロック共重合体を溶かした溶液を用いて、一般的な塊状重合、溶液重合、懸濁重合等を用いること等により製造する例を挙げることができる。また、本実施形態においては、線状ビニル芳香族炭化水素重合体（Ａ）の分子量及び分岐状ビニル芳香族炭化水素重合体（Ｂ）の分子量調整のために、重合開始剤、溶媒、連鎖移動剤を使用することもできる。
【００４５】
上記重合開始剤としては、以下に限定されないが、例えば、有機過酸化物を用いることができる。上記有機過酸化物としては、特に限定されないが、例えば、１，１−ビス（ｔ−ブチルパーオキシ）シクロヘキサン、１，１−ビス（ｔ−ブチルパーオキシ）３，３，５−トリメチルシクロヘキサン等のパーオキシケタール類、ジ−ｔ−ブチルパーオキサイド、２，５−ジメチル−２，５−ジ（ｔ−ブチルパーオキシ）ヘキサン等のジアルキルパーオキサイド類、ベンゾイルパーオキサイド、ｍ−トルオイルパーオキサイド等のジアシルパーオキサイド類、ジミリスチルパーオキシジカーボネート等のパーオキシエステル類、シクロヘキサノンパーオキサイド等のケトンパーオキサイド類、ｐ−メンタハイドロパーオキサイド等のハイドロパーオキサイド類、２，２−ビス（４，４−ジターシャリーブチルパーオキシシクロヘキシル）プロパン、２，２−ビス（４，４−ジターシャリーアミルパーオキシシクロヘキシル）プロパン、２，２−ビス（４，４−ジターシャリーブチルパーオキシシクロヘキシル）ブタン、２，２−ビス（４，４−ジクミルパーオキシシクロヘキシル）プロパン等の多官能開始剤類を挙げることができる。上記した中でも、伸張粘度を増加させる観点から、２，２−ビス（４，４−ジターシャリーブチルパーオキシシクロヘキシル）プロパンが好ましい。
【００４６】
上記した有機過酸化物は、スチレン系単量体重合のいずれかの工程にて重合系（重合原料溶液又は重合途中の溶液）に添加することができる。これらの有機過酸化物は重合原料溶液に加えられても、重合途中の溶液に必要に応じて複数回に分割して添加されてもよい。上記有機過酸化物の添加量は、重合原料溶液１００質量部に対して、好ましくは０．０００５質量部以上０．２質量部以下であり、より好ましくは０．０１質量部以上０．１質量部以下であり、さらに好ましくは０．０３質量部以上０．０８質量部以下である。上記有機過酸化物の添加量が０．２質量部以下である場合、重合時に発生する大量の反応熱を良好に制御できる傾向にあり、重合反応の制御の観点から好ましい。
【００４７】
上記溶媒としては、以下に限定されないが、例えば、トルエン、エチルベンゼン、キシレン等が使用できる。上記溶媒の使用量としては、特に限定されないが、重合原料溶液１００質量％に対して、０質量％以上５０質量％以下の範囲の使用が好ましい。上記連鎖移動剤としては、例えば、ｎ−ドデシルメルカプタン、ｔ−ドデシルメルカプタン、α−メチルスチレンダイマー等が用いることができる。上記連鎖移動剤の使用量としては、重合原料溶液１００質量％に対して、好ましくは０．０１質量％以上２質量％以下であり、より好ましくは０．１質量％以上１質量％以下であり、さらに好ましくは０．２質量％以上０．８質量％以下である。本実施形態のビニル芳香族炭化水素重合体組成物の製造方法における反応温度としては、好ましくは８０℃以上２００℃以下であり、より好ましくは９０℃以上１８０℃以下である。上記反応温度が８０℃以上である場合、十分に良好な生産性を確保できる傾向にあるため、工業的により適切な条件ということができる。一方、上記反応温度が２００℃以下である場合、低分子量重合体の生成量を適切な範囲に制御しやすくなる傾向にあるため好ましい。目標分子量の調整に際しては、上記反応温度（重合温度）だけでなく、開始剤量、溶媒量、連鎖移動剤量等で制御することもできる。また、本実施形態のビニル芳香族炭化水素重合体組成物の製造方法における反応時間としては、一般に０．５時間以上２０時間以下、好ましくは２時間以上１０時間以下である。上記反応時間が０．５時間以上である場合は反応を十分に進行させることができる傾向にあり、２０時間以下である場合は生産性の観点から好ましい。
【００４８】
ビニル芳香族系炭化水素単量体の重合転化率については、特に限定されるものではないが、工業的な見地から、４０％以上であることが好ましい。このようにして得られた重合溶液は、未反応単量体や溶媒を除去することにより、目的とするビニル芳香族炭化水素重合体組成物を分離することができ、また懸濁重合の場合には、そのまま次の工程に供することができる。
【００４９】
＜押出発泡シートの製造方法＞
本実施形態において、押出発泡シートの製造方法は、例えば、まず、サーキュラーダイに接続させた押出機中で本実施形態のビニル芳香族炭化水素重合体組成物を溶融混練し、当該溶融混練物を前記サーキュラーダイの円環状の開口から発泡状態で押出させて円筒状の発泡体を形成する。次いで、上記発泡体を前記サーキュラーダイの前方に設けた前記開口よりも径大な冷却マンドレルの外周面に摺接させて周方向に延伸しつつ冷却したものを押出し方向に沿って連続的に切断して展開するような通常知られている方法を用いることができる。しかしながら、上記に限定されるものではない。なお、押出発泡時の発泡剤や発泡核剤については通常用いられる物質を使用することができる。上記発泡剤としては、特に限定されないが、例えば、ブタン、ペンタン、フロン、水等を使用することができ、ブタンが好適である。また、上記発泡核剤としては、特に限定されないが、例えば、タルク等を使用できる。ポリスチレン系樹脂押出発泡シートは、厚み０．５ｍｍ〜５．０ｍｍ、見かけ密度５０ｇ／Ｌ〜３００ｇ／Ｌ、坪量８０ｇ／ｍ2〜３００ｇ／ｍ2であることが好ましい。また、押出発泡シートにフィルムをラミネートしてもよい。使用するフィルムの種類としては、一般のポリスチレンに使用されるもので差し支えない。
【００５０】
＜容器＞
上述した本実施形態の押出発泡シートを、例えば、真空成形、圧空成形、真空圧空成形、両面真空成形、プレス成形等の従来公知の方法で真空成型することにより、トレー、丼容器、納豆容器等の容器を形成できる。すなわち、本実施形態の容器は、本実施形態の押出発泡体を真空成型して得られる。真空成型の種類や容器の種類としては、上記に限定されるものではない。本実施形態の容器は、例えば、上記で得られた押出発泡シートを成形素材として、真空成形機により、横方向を押出方向として、縦１２ｃｍ、横２０ｃｍ、深さ２ｃｍの食品用トレー容器に加工することができる。上記真空成型条件としては、以下に限定されないが、通常、１２０〜１５０℃の条件が好ましく選択される。
【実施例】
【００５１】
以下、実施例及び比較例により本実施形態の具体的な実施態様を示すが、これは本実施形態の趣旨をより具体的に説明するためのものであり、本実施形態を限定するものではない。
【００５２】
各例におけるビニル芳香族炭化水素重合体組成物、押出発泡シート及び容器の各種測定評価は以下の方法に基づいて行った。
【００５３】
［測定、評価方法］
（１）ビニル芳香族炭化水素と共役ジエンからなるブロック共重合体中のビニル芳香族炭化水素及び、共役ジエンの含有量
１Ｈ−ＮＭＲを測定し、ビニル芳香族炭化水素由来の芳香環のピーク面積と共役ジエン由来のビニル結合部のピーク面積とを用いて計算により求めた。なお、測定装置としては日本電子（株）社製のＪＥＯＬ−ＥＣＡ５００を使用した。
【００５４】
（２）ビニル芳香族炭化水素重合体組成物中の共役ジエンの含有量
ビニル芳香族炭化水素重合体組成物中の共役ジエンの含有量の決定には、予め作成した共役ジエンの各含有量が０、２．０質量％、４．０質量％の組成物を用いて、上記（１）と同様の方法で計算により求めた共役ジエン含有量から作成した検量線を用いた。
【００５５】
（３）ビニル結合量
測定用の試料０．１ｇを１０ｍＬの二硫化炭素で完全に溶解後、０．５ｍｍセルを使用して赤外分光光度計〔島津製作所製、「ＦＴＩＲ−８４００Ｓ」）を使用してスペクトルを測定した。次いで、得られたスベクトルをＨａｍｐｔｏｎ法〔Ｒ．，Ｒ．：ＡｎａＬｙｔ．Ｃｈｅｍ．，２１（１９４９），ｐ．９２３〕にてビニル結合量を求めた、
【００５６】
（４）メルトマスフローレート（ＭＦＲ）
ＩＳＯ１１３３に準拠して各例のペレットを２００℃の温度条件にてメルトマスフローレート測定に供した。メルトマスフローレートは流動性の指標とした。
【００５７】
（５）伸張粘度
ツインキャピラリーレオメーターを用いて、せん断速度４０〜１０００ｓｅｃ−１に対して、せん断粘度、伸長粘度のデータを採取し、せん断粘度と伸長粘度のグラフを作成して、せん断粘度２５００Ｐａ・ｓｅｃにおける、ビニル芳香族炭化水素重合体組成物の伸張粘度を算出した。その際の詳細な条件は次のとおりとした。
使用装置：ＲＯＳＡＮＤ  ＰＲＥＣＩＳＩＯＮ社製  ツインキャピラリーレオメーター（型式ＲＨ７−２）、
ロングダイス：１ｍｍφ×１６ｍｍＬ
ショートダイス：１ｍｍφ×０．２５ｍｍＬ
温度：２００℃
予熱時間：ピストンを下降後、ロングダイス側圧力５ＭＰａで６分。その後ロングダイス側圧力３ＭＰａで３分予熱。
【００５８】
（６）四酸化オスミウム分解処理
四酸化オスミウム溶液とターシャリーブチルハイドロパーオキサイドの混合分解剤を用いて、クロロホルム溶液中のポリマーを９０℃に加熱して酸化分解する方法（Ｉ．Ｍ．ＫＯＬＴＨＯＦＦ，ｅｔａｌ．，Ｊ．Ｐｏｌｙｍ．Ｓｃｉ．１，４２９（１９４６）に記載の方法）に従い、酸化分解したポリマーをメタノールで沈殿回収し、酸化分解前後のＺ平均分子量の比を算出した。さらに詳細に述べると、ビニル芳香族炭化水素重合体組成物試料約０．０７ｇをクロロホルム１０ｍＬに溶解し、ｔｅｒｔ−プチルアルコール溶液とｔｅｒｔ−ブチルハイドロパーオキサイドのｔｅｒｔ−プチルアルコール溶液の混台分解剤を２０ｍＬと、四酸化オスミウムの０．０５％クロロホルム溶液６ｍＬを加え、９０℃でバス中にて１２分間還流下、分解した。これを冷却した後、当該溶液にメタノール２００ｍＬを撹拌しながら加えてポリスチレン成分を沈殿させた。これをガラスフィルターにて分離し、分離されたポリスチレン成分をテトラヒドロフラン（ＴＨＦ）に溶解し、ゲルパーミエーションクロマトグラフィー（ＧＰＣ）測定用の試料とした。このＧＰＣ測定用試料について、後述する（７）の分子量測定法に基づき、次のとおりに酸化分解前後のＺ平均分子量を測定した。
酸化分解前後のＺ平均分子量の比＝（酸化分解後のＺ平均分子量）／（酸化分解前のＺ平均分子量）
【００５９】
（７）分子量測定
各平均分子量（Ｍｎ：数平均分子量、Ｍｗ：重量平均分子量、Ｍｚ：Ｚ平均分子量）をそれぞれ以下の条件下で測定した。すなわち、まず、ビニル芳香族炭化水素重合体組成物約１ｇに、メチルエチルケトン／メタノール混合溶媒（混合質量比９０／１０）２０ｍＬを加え、振とう機で６０分かけ溶解させた。次に、Ｒ２０Ａ２型ロ−ターを備えた日立製作所製ｈｉｍａｃＣＲ２０型遠心分離機を用い、０℃、２０，０００ｒｐｍで６０分遠心分離後、上澄み液をデカンデーションにより可溶分を採取した。その後、メタノールを添加し、残渣を回収した。次いで、室温で真空乾燥し、溶媒を除去した。次に、回収サンプルを以下の条件で測定した。なお、１００万以上の分子量成分の割合は、上記の測定から得られた横軸ポリスチレン換算の相対分子量値と縦軸紫外吸光光度のピークから、積分により、相対分子量１００万以上の成分の含有率を算出することにより得られる値を採用した。
使用装置：東ソー製ＨＬＣ８０２０
分別カラム：東ソー製ＴＳＫ−ｇｅｌ−ＧＭＨＸＬ
測定溶媒：テトラヒドロフラン
試料濃度：ビニル芳香族炭化水素重合体組成物５ｍｇを１０ｍＬの溶媒に溶解
測定温度：４０℃
流速：０．３５ｍＬ／分
【００６０】
（８）分岐度
まず、以下の条件下で重量平均分子量＝１００万における固有粘度を測定した。
使用装置：スペクトリス（株）製  絶対分子量測定  マルチ検出器ＧＰＣ／ＳＥＣシステム  Ｖｉｓｃｏｔｅｋ  ＴＤＡ３０５、
光散乱検出器波長：６７０  ｎｍ
カラム：東ソー、ＴＳＫｇｅｌ  Ｇ６０００、５０００、４０００ＨＸＬ
測定溶媒：テトラヒドロフラン
測定温度：４０℃
流速：１．０  ｍＬ／分で、固有粘度を測定した。
【００６１】
上記のようにして得られた固有粘度に基づき、下式により重量平均分子量＝１００万における分岐度を算出した。
分岐度＝ｌｏｇ（組成物の固有粘度）／ｌｏｇ（標準ＰＳの固有粘度）
（標準ＰＳ：ＴＯＳＯＨ、ＴＳＫｓｔａｎｄａｒｄ、ＰＯＬＹＳＴＹＲＥＮＥ、Ｆ−８０（ＴＳ−２０１）、分子量＝７．０６×１０5）
【００６２】
（９）５０ｎｍ以下の粒子数の測定
超薄切片法による透過型電子顕微鏡写真をとり、写真中の領域４μｍ2中に観測される分散粒子のうち、次のように特定される分散粒子の粒子径を測定することにより、粒子径を求めた。なお、測定装置としては、（株）日立ハイテクノロジーズ社製の透過電子顕微鏡ＨＴ７７００を使用した。なお、分散粒子の粒子数は、次のとおりに測定した。すなわち、各例の組成物を８０ｎｍの超薄切片に切り出したものをオスミウム酸で染色後、透過型電子顕微鏡で撮影し、倍率１０００００倍の写真にした。この写真から、粒子径が５０ｎｍ以下の分散粒子について、４μｍ2の面積について粒子数を求めた。ここで、粒子径は写真中の粒子面積から円相当径とした場合の粒子径とした。なお、点粒子が凝集した形態のものは、凝集した形態中の点粒子の個数をそれぞれ数えることとした。本測定は、写真を１０００ｄｐｉの解像度でスキャナーに取り込み、粒子解析ソフト（旭化成エンジニアリング株式会社製の画像解析ソフト、商品名「Ａ像くん」）を用いて測定した。
【００６３】
（１０）容器の腰強度試験
図１は、押出発泡トレーの腰強度を測定する方法について説明する図である。押出発泡シートを図１に示すようなトレーに真空成型し、得られた押出発泡トレーの腰強度を測定した。すなわち、圧縮試験用下部圧盤に固定された押出発泡トレーに対して、圧縮試験機の可動部位に突設された圧縮負荷治具により、押圧速度５ｍｍ／分で負荷をかけるものとした。なお、使用したトレー容器の大きさは縦１２ｃｍ、横２０ｃｍ、深さ２ｃｍであった。上記トレーの、周壁部上端縁部における長辺の中央部を、当該長辺に対向する長辺に向けて１０ｍｍだけ近接するように速度５ｍｍ／分で押圧し変形させた際に要した荷重を腰強度として測定した（図１参照）。なお、測定装置として、島津製作所製の卓上型精密万能試験機（オートグラフＡＧＳ−５ｋＮＸ）を使用した。
【００６４】
（１１）深絞り成形性
まず、各例の押出発泡シートを２３±３℃、相対湿度５０±５％にて２０日間にわたって放置した。その後、創研製のシート容器成型機を用いて、このシート成型機の固定枠で発泡シートを挟み、ヒータの平均温度を２４０℃、雰囲気温度が１６０℃で９０秒間加熱した。次いで、１０ｃｍ径で深さが３ｃｍ、６ｃｍの深さが異なるコップ状の金型（温度６０℃）に固定枠ごとスライドさせて真空成形を行い、成形体を１００個ずつ成形した。この成形体の側面に引裂きが生じていないかを目視で確認し、引裂きが起こらず成形可能であった成形体の数を深絞り成形性の指標とした。
【００６５】
（１２）発泡体密度
ＩＳＯ１０３５０に基づいて、各例の発泡体密度を測定した。なお、測定装置としては島津製作所製の比重計（ＳＧＭ−２２０−６０測定器）を使用した。
【００６６】
（１３）発泡倍率
発泡倍率は、上記（１２）で求めた発泡体密度の値（ρｆ）及びビニル芳香族炭化水素重合体組成物の密度（ρ）を用いて、次式より算出した。
発泡倍率＝ρ／ρｆ
【００６７】
（１４）坪量
押出発泡シートを１００ｃｍ2に切り出し、質量を測定し、１ｍ2当たりの質量に換算した。
【００６８】
（１５）肌荒れ検査
押出発泡シートの表面を目視で検査し、凹凸等の肌荒れが起こっているかどうかを確認した。
【００６９】
［ブロック共重合体Ｂ−１の製造］
ビニル芳香族炭化水素含有量が９０質量％、共役ジエン含有量が１０質量％からなるビニル芳香族炭化水素・共役ジエン共重合体（ブロック共重合体Ｂ−１）を、次のようにして製造した。すなわち、予め洗浄乾燥させた容積１０Ｌの撹拌装置及びジャケット付のオートクレーブを窒素ガス雰囲気下とし、スチレン３０質量部を２５質量％の濃度で含むシクロヘキサン溶液に、ｎ−ブチルリチウム０．０９５質量部を添加し５０℃にて重合した。次に、スチレン３０質量部と１，３−ブタジエン１０質量部を２５質量％の濃度で含むシクロヘキサン溶液を加え６０分間反応させた。さらに、スチレン３０質量部を２５質量％の濃度で含むシクロヘキサン溶液を加え３０分間反応させた。その後、重合を完全に停止するため、反応器中にエタノールをｎ−ブチルリチウムに対して等倍モル添加し、安定剤として当該重合体１００質量部に対して、２−〔１−（２−ヒドロキシ−３，５−ジ−ｔ−ペンチルフェニル）エチル〕−４，６−ジ−ｔ−ペンチルフェニルアクリレートを０．３質量部添加した。次いで、溶媒を除去することによって、目的とする線状のビニル芳香族炭化水素・共役ジエン共重合体（ブロック共重合体Ｂ−１）を回収した。このようにして得られたブロック共重合体Ｂ−１は、スチレン含有量９０質量％の、Ｓ１−（Ｓ／Ｂ）−Ｓ２構造のブロック共重合体であった。なお、上記のブロック構造を表す式中の、Ｓ、Ｂ、Ｓ／Ｂに付した番号は、それぞれブロック共重合体におけるビニル芳香族炭化水素ブロック（Ｓ）と、共役ジエン重合体ブロック（Ｂ）と、ランダム共重合体を含むブロック共重合体（Ｓ／Ｂ）と、を表すものとして、以下同様に表記する。
【００７０】
［ブロック共重合体Ｂ−２の製造］
ビニル芳香族炭化水素含有量が８０質量％、共役ジエン含有量が２０質量％からなるビニル芳香族炭化水素・共役ジエン共重合体（ブロック共重合体Ｂ−２）を、次のようにして製造した。すなわち、予め洗浄乾燥させた容積１０Ｌの撹拌装置及びジャケット付のオートクレーブを窒素ガス雰囲気下とし、１，３−ブタジエン１０質量部を２５質量％の濃度で含むシクロヘキサン溶液に、ｎ−ブチルリチウムを０．０９５質量部とｎ−ブチルリチウムに対して０．３モルのテトラメチルエチレンジアミンを添加し５０℃にて重合した。次に、スチレン８０質量部を２５質量％の濃度で含むシクロヘキサン溶液を加えて６０分間反応させた。その後、１，３−ブタジエン１０質量部を２５質量％の濃度で含むシクロヘキサン溶液を加えて１５分間反応させた。その後、重合を完全に停止するため、反応器中にエタノールをｎ−ブチルリチウムに対して等倍モル添加し、安定剤として当該重合体１００質量部に対して、２−〔１−（２−ヒドロキシ−３，５−ジ−ｔ−ペンチルフェニル）エチル〕−４，６−ジ−ｔ−ペンチルフェニルアクリレートを０．３質量部添加した。次いで、溶媒を除去することによって、目的とする線状のビニル芳香族炭化水素・共役ジエン共重合体（ブロック共重合体Ｂ−２）を回収した。このようにして得られたブロック共重合体Ｂ−２は、スチレン含有量８０質量％の、Ｂ−Ｓ−Ｂ構造の線状のブロック共重合体であった。
【００７１】
［ブロック共重合体Ｂ−３〜Ｂ−８の製造］
ブロック共重合体Ｂ−２と同様に、表１に規定したビニル芳香族炭化水素含有量と共役ジエン含有量からなるビニル芳香族炭化水素・共役ジエン共重合体（ブロック共重合体Ｂ−３〜Ｂ−８）は、表１に規定したビニル結合量となる様に、ｎ−ブチルリチウムとテトラメチルエチレンジアミンの添加量を調整して、それぞれＢ−Ｓ−Ｂ構造の線状のブロック共重合体Ｂ−３〜Ｂ−８を得た。
【００７２】
［実施例１］
［ビニル芳香族炭化水素重合体組成物の製造］
スチレン８４．５質量％と、エチルベンゼン８質量％と、表１記載のブロック重合体Ｂ−１を７．５質量％と、の混合液１００質量部に対して、２，２−ビス（４，４−ジターシャリーブチルパーオキシシクロヘキシル）プロパンを０．０１５質量部添加して得た重合原料液を、４．６Ｌの完全混合型反応器に０．７８Ｌ／Ｈｒで連続的に仕込み、１０３℃に調整した。反応器出口の固形分濃度は４０質量％であった。なお、上記固形分濃度は、以下の方法により算出した。すなわち、まずｗ１（ｇ）の重合液をアルミカップに取り、減圧下、２３０℃で１５分間、重合液の未反応モノマー等の揮発成分を揮発させた。その後、残った固形分（反応生成物）ｗ２（ｇ）に対して、次式を用いて算出した。
（固形分濃度）＝ｗ２／ｗ１×１００（％）
【００７３】
完全混合型反応器の重合体溶液を引き続き、３ゾーンで温度コントロール可能な１．５Ｌの層流型反応器−１及びそれと直列に配された、３ゾーンで温度コントロール可能な１．５Ｌの層流型反応器−２に連続的に仕込んだ。層流型反応器−１の温度を１２９℃／１３４℃／１３９℃に、また層流型反応器−２の温度を１５０℃／１５５℃／１６５℃に調整した。
【００７４】
重合反応器より連続して排出される重合体溶液を、未反応モノマー、重合溶媒等の揮発分を除去する、２４０℃、１．３３３ｋＰａのベント圧力の三段ベント付き単軸押出機を連結した脱揮装置に連続的に、順次供給し、樹脂を調製した。最終固形分濃度は８０．５％であった。重合条件を表２に示す。また、得られたスチレン系樹脂組成物のＧＰＣによる分子量測定（オスミウム酸分解前後）、分岐度測定、メルトマスフローレート測定、粒子径測定及び伸張粘度側定を行った。この結果を表５に示す。
【００７５】
得られた組成物のブタジエン換算ゴム量は０．６質量％、酸化分解前後のＺ平均分子量の比は０．６、分岐度は０．８１、１００万以上の分子量成分量は８．１質量％、メルトマスフローレートは１．１ｇ／１０分であった。２００℃、２５００Ｐａ・ｓｅｃで測定した伸張粘度は４８．２万Ｐａ・ｓｅｃであった。点粒子は存在しなかった。
【００７６】
［押出発泡シートの製造］
直径１５０ｍｍのサーキュラーダイを備えた押出発泡機を用い、上記のビニル芳香族炭化水素重合体組成物１００質量部に対して、発泡核剤としてタルク（平均粒径１．３μｍ）を０．１５質量部、及び発泡剤として液化ブタンを４質量部添加してなるスチレン系樹脂組成物を押出し発泡成形して、シート厚み：１．９ｍｍの押出発泡シートを製造した。樹脂溶融ゾーンの温度を２００〜２３０℃、ロータリークーラー温度を１３０〜１７０℃、ダイス温度を１５０℃にそれぞれ調整した。押出発泡直後の発泡体を冷却マンドレルで冷却し、円周上の１点でカッターにより切断した後、幅：１０００ｍｍ、発泡体密度：６８ｇ／Ｌ（発泡倍率：１５．５倍）、坪量：１４９ｇ／ｍ2の押出発泡シートを得た。上記押出発泡シートの物性等を表５に示す。
【００７７】
［容器の製造］
上記で得られた押出発泡シートを成形素材として、前記容器成型機を用いて、ヒータの平均温度を２１０℃、雰囲気温度を１３０℃、予熱時間を６０秒に、それぞれ設定して真空成形を行い、たて１２ｃｍ、よこ２０ｃｍ、深さ２ｃｍの腰強度試験用トレー容器に加工した。上記腰強度試験用トレー容器の腰強度の測定結果を表５に示す。
【００７８】
［実施例２〜１０］
ブロック重合体の種類、各添加量、重合条件を表２に記載のとおりに変更したことを除き、実施例１と同様に実施して、実施例２〜１０に係るビニル芳香族炭化水素重合体組成物、押出発泡シート及び腰強度試験用トレー容器を製造した。表２で用いた、メチルメタクリレートは旭化成ケミカルズ製、アクリル酸ブチルは東亜合成製、α−メチルスチレンダイマーは和光純薬工業製である。これらの物性等を表５に示す。
【００７９】
［比較例１］
［スチレン系樹脂の製造］
スチレン８２質量％とエチルベンゼン１８質量％との混合液１００質量部に対して、２，２−ビス（４，４−ジターシャリーブチルパーオキシシクロヘキシル）プロパン（表２中、「ＰＴＡ」と略記）を０．０１５質量部添加して得た重合原料液を、４．６Ｌの完全混合型反応器に０．７８Ｌ／Ｈｒで連続的に仕込み、１０７℃に調整した。反応器出口の固形分濃度は３１質量％であった。完全混合型反応器の重合体溶液を引き続き、３ゾーンで温度コントロール可能な１．５Ｌの層流型反応器−１及びそれと直列に配された、３ゾーンで温度コントロール可能な１．５Ｌの層流型反応器−２に連続的に仕込んだ。層流型反応器−１の温度を１１５℃／１２４℃／１２９℃に、また層流型反応器−２の温度を１４５℃／１５０℃／１６０℃に調整した。上記以外は実施例１と同様に実施して、比較例１のビニル芳香族炭化水素重合体組成物、押出発泡シート及び腰強度試験用トレー容器を製造した。この物性等を表５に示す。
【００８０】
［比較例２〜７、１０〜１１］
ブロック重合体の種類、各原料の添加量、重合条件を表３のとおりに変更したことを除き、比較例１と同様に実施して、比較例２〜７、１０〜１１に係るビニル芳香族炭化水素重合体組成物、押出発泡体及び腰強度試験用トレー容器を製造した。表３で用いた、メチルメタクリレートは旭化成ケミカルズ製、アクリル酸ブチルは東亜合成製、α−メチルスチレンダイマーは和光純薬工業製である。ただし、比較例６および１０、１１は、ビニル芳香族炭化水素重合体組成物の伸長粘度が低すぎて、押出発泡時に破泡が起こり、押出発泡シートを作成することができなかった。これらの物性等を表５に示す。
【００８１】
［比較例８］
攪拌機を備えた５Ｌ−７Ｌ−７Ｌ層流型反応機３基を直列連結し、その後に二段ベント付き二軸押出機を配置した重合装置を用いてビニル芳香族炭化水素重合体組成物を製造した。スチレン９０質量部、表１記載の線状ビニル芳香族炭化水素重合体Ｂ−８を５質量部、エチルベンゼン５質量部、１，１−ビス（ｔ−ブチルパーオキシ）シクロヘキサン（表４中、「ＰＨＣ」と略記。表２〜３中においても同じ。）０．０４質量部からなる原料溶液を重合機に供給し重合を行った。第１段重合機で１２０℃、３０ｒｐｍで攪拌機を回転させ２時間重合し、ゴム粒子を析出させた後、第２段重合機にて１３５℃で３時間重合を継続しゴム粒子を安定化させた後、更に第３段重合機にて１４５℃で３時間重合を進め、最終重合固形分６９％とし、この重合溶液を２２０℃、２．６６６ｋＰａのベント圧力の三段ベント付き単軸押出機により脱揮発後、比較例８のビニル芳香族炭化水素重合体組成物を得た。このビニル芳香族炭化水素重合体組成物を用い、比較例１と同様にして押出発泡シートを作成しようとしたところ、当該ビニル芳香族炭化水素重合体組成物の伸長粘度が低すぎて、押出発泡時に破泡が起こり、押出発泡シートを作成することができなかった。この物性等を表５に示す。
【００８２】
［比較例９］
表１に記載のブロック共重合体Ｂ−１  ５質量部と、ＰＳジャパン製  ポリスチレンＧ９３０５（メルトマスフローレート＝１．５ｇ／１０ｍｉｎ）９５質量部とを、東芝機械（株）製の二軸押出機（ＴＥＭ２６ＳＳ−１２−２Ｖ）を用いて２２０℃、１５０ｒｐｍで造粒し、比較例９に係るビニル芳香族炭化水素重合体組成物、押出発泡シート及び腰強度試験用トレー容器を製造した。この物性等を表５に示す。なお、本例のビニル芳香族炭化水素重合体組成物は、ポリスチレンとブロック共重合体を単純ブレンドしたものであったため、当該ブロック共重合体の共役ジエン化合物単位を起点とした高分子量成分が形成されなかった。すなわち、本実施形態所望の分岐状ビニル芳香族炭化水素重合体（Ｂ）が得られなかった。
【００８３】
【表１】
2015083674.tif 000003
【００８４】
なお、上記表１中では、スチレンの仕込み量を「Ｓｔ量」と、１，３−ブタジエンの仕込み量を「Ｂｄ量」と、それぞれ表記し、含有比率で表示している。
【００８５】
【表２】
2015083674.tif 000004
【００８６】
【表３】
2015083674.tif 000005
【００８７】
上記表２〜４中、２，２−ビス（４，４−ジターシャリーブチルパーオキシシクロヘキシル）プロパンを単に「ＰＴＡ」と、１，１−ビス（ｔ−ブチルパーオキシ）シクロヘキサンを単に「ＰＨＣ」と、それぞれ略記する。
【００８８】
【表４】
2015083674.tif 000006
【００８９】
【表５】
2015083674.tif 000007
【００９０】
図２からわかるように、実施例１〜８で使用したビニル芳香族炭化水素重合体組成物は、伸張粘度と加工性（流動性：メルトマスフローレート）の値が比較例１〜９で使用したビニル芳香族炭化水素重合体組成物に対して高い。図３からわかるように、実施例１〜８の発泡押出シートは、深絞り成形性と腰強度の双方の値が比較例１〜９の発泡押出シートに対して高い。
【産業上の利用可能性】
【００９１】
本発明の押出発泡シート及び容器は、発泡セルの延伸時に分子配向がかかり易く、高強度化されるため、発泡体密度と製品強度のバランスに優れ、深絞り容器の二次成形性に非常に優れる。さらに、高い製品強度を維持したまま、高い発泡倍率を実現することができることから、少量の材料で製品強度に優れた発泡容器を得ることができるため、製品のコストダウンに寄与することができる。
【図１】
2015083674.tif 000008
【図２】
2015083674.tif 000009
【図３】
2015083674.tif 000010